(57)【要約】    【課題】  少ない工程数で簡単に組み立てられ、鏡餅を安定して載置でき、かつ、鏡餅を移動するときに分解することのない鏡餅用三方を提供する。    【解決手段】  台部１と、台部１を下方から支持する脚部２とを備え、脚部２の上端に上方へ突出した複数の係止片３ａ，３ｂ，３ｃを形成し、台部１に係止片３ａ，３ｂ，３ｃが係止する複数の係止孔４ａ，４ｂ，４ｃを形成した鏡餅用三方であって、係止片３ａ，３ｂ，３ｃの上端部の一側端に側方へ突出した係止爪５ａ，５ｂ，５ｃを形成し、係止孔４ａ，４ｂ，４ｃの長さＤ，Ｅ，Ｆを、係止片３ａ，３ｂ，３ｃの基端部の長さＡ，Ｂ，Ｃと略等しい寸法に形成した。【選択図】    図１
2007020600.tif 000002
【特許請求の範囲】
【請求項１】
台部と、この台部を下方から支持する脚部とを備えるとともに、前記脚部の上端に上方へ突出した複数の係止片が形成され、前記台部に前記係止片が係止する複数の係止孔又は切り込みが形成された鏡餅用三方であって、前記係止片の上端部の両側端又は一側端に側方へ突出した係止爪が形成され、前記係止孔又は切り込みの長さを、前記係止片の基端部の長さと略等しい寸法、或いは、前記係止片の基端部の長さよりも長く、前記係止片の上端部の長さよりも短い寸法に形成したことを特徴とする鏡餅用三方。
【請求項２】
前記係止片は２〜４箇所に形成されたことを特徴とする請求項１記載の鏡餅用三方。
【請求項３】
前記係止爪は前記係止片の一側端のみに形成されたことを特徴とする請求項１又は２記載の鏡餅用三方。
【請求項４】
前記係止片は３箇所に形成され、前記係止片は２箇所において相互に略平行に配置され、１箇所においてほかの２箇所と略直角に配置されたことを特徴とする請求項１〜３のいずれか１項記載の鏡餅用三方。
【発明の詳細な説明】
【技術分野】
【０００１】
本発明は、鏡餅を載置して飾るための紙製の鏡餅用三方に関する。
【背景技術】
【０００２】
従来の紙製の鏡餅用三方は、例えば特許文献１に記載のように、鏡餅を載置するための台部と、この台部を下方から支持する脚部とから構成されており、脚部の上端に上方へ突出して形成された４つの係止片を、台部に形成された４つの係止孔に差し込んで組み立てられていた。そして、この三方に鏡餅を載置するために台部の上面を平坦にする必要があり、台部の上面に突出した係止片は折り曲げられていた。
【０００３】
このような従来の鏡餅用三方を組み立てる場合には、第１工程で４つの係止片のうちの１つを係止孔に差し込み、第２工程で残りの３つの係止片を同時に係止孔に差し込み、第３工程で三方を一旦テーブル等に置き、第４工程で台部から突出した係止片のうちの２つを同時に折り曲げ、第５工程で残りの２つの係止片を同時に折り曲げるといったように、煩雑な５つの工程を要し、三方を組み立てるためにかなりの人件費が必要となっていた。
【０００４】
また、折り曲げられた係止片は紙製のため、もとの形状に戻ろうとする復元力を有しており、この復元力が鏡餅の重量に勝る場合には、載置された鏡餅が不安定になり、傾いてしまうといった問題があった。特に、最近、鏡餅の形状のプラスチック容器の中に包装された切り餅や丸餅が収容された鏡餅が一般的になってきているが、このような鏡餅は大きさの割に比較的軽量のため、この問題が顕著であった。
【０００５】
一方、特許文献１に記載のような従来の鏡餅用三方に、台部に差し込まれた係止片を折り曲げずに鏡餅を載置した場合は、台部を持って鏡餅を移動しようとしたときに、鏡餅の重量によって係紙片が下方に押されて係止孔から外れてしまい、三方が分解してしまうという問題があった。
【特許文献１】特開２００２−２８０６８号公報
【発明の開示】
【発明が解決しようとする課題】
【０００６】
そこで本発明は、上記の欠点を克服し、少ない工程数で簡単に組み立てられ、鏡餅を安定して載置でき、かつ、鏡餅を移動するときに分解することのない鏡餅用三方を提供することを目的とする。
【課題を解決するための手段】
【０００７】
本発明の請求項１記載の鏡餅用三方は、台部と、この台部を下方から支持する脚部とを備えるとともに、前記脚部の上端に上方へ突出した複数の係止片が形成され、前記台部に前記係止片が係止する複数の係止孔又は切り込みが形成された鏡餅用三方であって、前記係止片の上端部の両側端又は一側端に側方へ突出した係止爪が形成され、前記係止孔又は切り込みの長さを、前記係止片の基端部の長さと略等しい寸法、或いは、前記係止片の基端部の長さよりも長く、前記係止片の上端部の長さよりも短い寸法に形成したことを特徴とする。
【０００８】
本発明の請求項２記載の鏡餅用三方は、請求項１において、前記係止片は２〜４箇所に形成されたことを特徴とする。
【０００９】
本発明の請求項３記載の鏡餅用三方は、請求項１又は２において、前記係止爪は前記係止片の一側端のみに形成されたことを特徴とする。
【００１０】
本発明の請求項４記載の鏡餅用三方は、請求項１〜３のいずれか１項において、前記係止片は３箇所に形成され、前記係止片は２箇所において相互に略平行に配置され、１箇所においてほかの２箇所と略直角に配置されたことを特徴とする。
【発明の効果】
【００１１】
本発明の請求項１記載の鏡餅用三方によれば、係止爪が係止孔に係止することにより、係止片を折り曲げることなく少ない工程数で簡単に組み立てられるとともに、鏡餅を安定して載置でき、鏡餅を移動するときに分解することもない。
【００１２】
本発明の請求項２記載の鏡餅用三方によれば、少ない工程数で確実に台部と脚部を固定し、鏡餅を安定して載置することができる。
【００１３】
本発明の請求項３記載の鏡餅用三方によれば、係止爪から先に係止片を係止孔へ差し込むことで簡単に係紙片を係止孔へ差し込むことができ、組み立て後は係止爪が係止孔に係止するため、係止片が係止孔から抜けることがない。
【００１４】
本発明の請求項４記載の鏡餅用三方によれば、はじめに略平行に配置された２箇所の係止片を係止孔に差し込み、つぎにほかの２箇所と略直角に配置された１箇所の係紙片を差し込むことによって、極めて少ない２つの工程数で簡単に組み立てることができるとともに、３箇所の係止片により鏡餅を安定して載置することができ、この３箇所の係止片の配置により係止片が係止孔から抜けにくく、鏡餅を移動するときに分解することもない。
【発明を実施するための最良の形態】
【００１５】
以下、本発明における好ましい実施例について、添付図面を参照しながら説明する。
【実施例１】
【００１６】
図１と図２を参照しながら説明すると、１は鏡餅が載置される台部であり、台部１の下方には、台部１を下方から所定の高さに支持する脚部２が設けられている。台部１はボール紙により、上面から見て略正方形の皿状に形成されている。脚部２は、上面から見て台部１よりも一回り小さい略正方形の枠状に、略長方形のボール紙の紙片を折り曲げてその両端部を接合することによって形成されている。
【００１７】
脚部２の上端の３箇所には、上方に突出した３つの係止片３ａ，３ｂ，３ｃが形成され、台部１には係止片３ａ，３ｂ，３ｃがそれぞれ係止する係止孔４ａ，４ｂ，４ｃが形成されている。係止片３ａ，３ｂ，３ｃは、脚部２と一体に形成されており、係止片３ａ，３ｂ，３ｃの上端部には、それぞれ一側端にのみ側方へ突出した係止爪５ａ，５ｂ，５ｃが一体に形成されている。
【００１８】
なお、係止片３ａと係止爪５ａ、係止片３ｂと係止爪５ｂ、係止片３ｃと係止爪５ｃは、それぞれ脚部２の各面と略同一面上に形成されている。また、係止片３ａ，３ｂ，３ｃの他側端には係止爪は形成されておらず、この他側端における基端部と上端部を結ぶ線は略鉛直となっている。
【００１９】
係止片３ａ，３ｂ，３ｃの基端部の長さＡ，Ｂ，Ｃは、それぞれ係止孔４ａ，４ｂ，４ｃの長さＤ，Ｅ，Ｆと略等しく形成され、係止片３ａ，３ｂ，３ｃの上端部の長さＧ，Ｈ，Ｉは係止孔４ａ，４ｂ，４ｃの長さＤ，Ｅ，Ｆよりも長く形成されている。すなわち、係止片３ａ，３ｂ，３ｃの基端部はくびれた形状となっており、係止片３ａ，３ｂ，３ｃが係止孔４ａ，４ｂ，４ｃから外れにくい構造となっている。また、係止孔４ａ，４ｂ，４ｃは、係止片３ａ，３ｂ，３ｃの厚さよりも幅が広い略方形の細長い溝状に形成されており、係止片３ａ，３ｂ，３ｃを係止孔４ａ，４ｂ，４ｃに差し込みやすい構造となっている。
【００２０】
２つの係止片３ａ，３ｂは、脚部２を形成する４つの面のうち、対向する２つの面の上端６ａ，６ｂに、相互に略平行に配置されている。そして、係止片３ａ，３ｂは、上端６ａ，６ｂの一端側に偏って設けられている。また、係止爪５ａ，５ｂは、上端６ａ，６ｂの一端側に向かって突出して形成されている。
【００２１】
これに対し、１つの係止片３ｃは、脚部２を形成する４つの面のうち、上端６ａ，６ｂの他端側の面の上端６ｃに設けられている。すなわち、係止片３ｃは、係止片３ａ，３ｂと略直角に配置されている。そして、係止片３ｃは、上端６ｃの略中央に設けられており、３つの係止片３ａ，３ｂ，３ｃは、略正三角形の頂点上に配置され、係止片３ａ，３ｂ，３ｃ上に鏡餅が安定して載置されるようになっている。
【００２２】
また、脚部２を形成する４つの面のうち、係止片３ａ，３ｂ，３ｃが設けられた３つの面の略中央には、それぞれ飾り穴７ａ，７ｂ，７ｃが形成されている。そして、飾り穴７ａ，７ｂ，７ｃの位置によって、三方の正面側、側面側を簡単に判別できるようになっている。
【００２３】
つぎに、本実施例の鏡餅用三方の組み立て方法について説明する。
【００２４】
第１工程において、相互に略平行に配置された係止片３ａ，３ｂを、係止孔４ａ，４ｂにそれぞれ同時に差し込む。このとき、係止爪５ａ，５ｂから先に差し込むことで、簡単に係止片３ａ，３ｂを差し込むことができる。また、係止孔４ａ，４ｂは、係止片３ａ，３ｂの厚さよりも幅が広い溝状に形成されているので、係止孔４ａ，４ｂに係止片３ａ，３ｂをほとんど抵抗なく差し込むことができる。
【００２５】
第２工程において、残りの係止片３ｃを係止爪５ｃから先に係止孔４ｃに差し込む。このとき、係止孔４ｃは、係止片３ｃの厚さよりも幅が広い溝状に形成されているので、係止孔４ｃに係止片３ｃをほとんど抵抗なく差し込むことができる。
【００２６】
このように、従来と比較して極めて少ない２つの工程数で簡単に組み立てることができる。したがって、三方の組み立てに要していた人件費を従来の約半分にまで大幅に削減することができる。
【００２７】
また、上記第２工程において係止孔４ｃに係止片３ｃを差し込むことによって、先に差し込んだ係止片３ａ，３ｂは、脚部２を形成する面の上端６ａ，６ｂの一端側に向かって付勢され、係止爪５ａ，５ｂは、上端６ａ，６ｂの一端側に向かって突出して形成されているので、係止爪５ａ，５ｂと係止孔４ａ，４ｂの係止が外れることがない。また、係止爪５ｃにより、係止爪５ｃと係止孔４ｃの係止が外れることがない。
【００２８】
以上のように、本実施例の鏡餅用三方は、台部１と、この台部１を下方から支持する脚部２とを備えるとともに、前記脚部２の上端に上方へ突出した複数の係止片３ａ，３ｂ，３ｃが形成され、前記台部１に前記係止片３ａ，３ｂ，３ｃが係止する複数の係止孔４ａ，４ｂ，４ｃが形成された鏡餅用三方であって、前記係止片３ａ，３ｂ，３ｃの上端部の一側端に側方へ突出した係止爪５ａ，５ｂ，５ｃが形成され、前記係止孔４ａ，４ｂ，４ｃの長さＤ，Ｅ，Ｆを、前記係止片３ａ，３ｂ，３ｃの基端部の長さＡ，Ｂ，Ｃと略等しい寸法に形成したものである。係止爪５ａ，５ｂ，５ｃが係止孔４ａ，４ｂ，４ｃに係止することにより、係止片３ａ，３ｂ，３ｃを折り曲げることなく少ない工程数で簡単に組み立てられるとともに、鏡餅を安定して載置でき、鏡餅を移動するときに分解することもない。
【００２９】
また、前記係止爪５ａ，５ｂ，５ｃは前記係止片３ａ，３ｂ，３ｃの一側端のみに形成されたものであり、係止爪５ａ，５ｂ，５ｃから先に係止片３ａ，３ｂ，３ｃを係止孔４ａ，４ｂ，４ｃへ差し込むことで簡単に係紙片３ａ，３ｂ，３ｃを係止孔４ａ，４ｂ，４ｃへ差し込むことができ、組み立て後は係止爪５ａ，５ｂ，５ｃが係止孔４ａ，４ｂ，４ｃに係止するため、係止片３ａ，３ｂ，３ｃが係止孔４ａ，４ｂ，４ｃから抜けることがない。
【００３０】
また、前記係止片３ａ，３ｂ，３ｃは３箇所に形成され、前記係止片は２箇所３ａ，３ｂにおいて相互に略平行に配置され、１箇所３ｃにおいてほかの２箇所３ａ，３ｂと略直角に配置されたものである。はじめに略平行に配置された２箇所の係止片３ａ，３ｂを係止孔４ａ，４ｂに差し込み、つぎにほかの２箇所３ａ，３ｂと略直角に配置された１箇所の係止片３ｃを差し込むことによって、極めて少ない２つの工程数で簡単に組み立てることができるとともに、３箇所の係止片３ａ，３ｂ，３ｃにより鏡餅を安定して載置することができ、この３箇所の係止片３ａ，３ｂ，３ｃの配置により係止片３ａ，３ｂ，３ｃが係止孔４ａ，４ｂ，４ｃから抜けにくく、鏡餅を移動するときに分解することもない。
【実施例２】
【００３１】
図３に基づき実施例２について説明するが、上記実施例１と同様の部分には同じ符号を付し、その詳細な説明を省略する。
【００３２】
本実施例は、４箇所に係止片３ａ，３ｂ，３ｄ，３ｅと係止孔４ａ，４ｂ，４ｄ，４ｅが形成されているほかは上記実施例１と同様である。
【００３３】
脚部２の上端の４箇所には、上方に突出した４つの係止片３ａ，３ｂ，３ｄ，３ｅが形成され、台部１には係止片３ａ，３ｂ，３ｄ，３ｅがそれぞれ係止する係止孔４ａ，４ｂ，４ｄ，４ｅが形成されている。係止片３ａ，３ｂ，３ｄ，３ｅは、脚部２と一体に形成されており、係止片３ａ，３ｂ，３ｄ，３ｅの上端部には、それぞれ一側端にのみ側方へ突出した係止爪５ａ，５ｂ，５ｄ，５ｅが一体に形成されている。
【００３４】
なお、係止片３ａと係止爪５ａ、係止片３ｂと係止爪５ｂ、係止片３ｄ，３ｅと係止爪５ｄ，５ｅは、それぞれ脚部２の各面と略同一面上に形成されている。また、係止片３ａ，３ｂ，３ｄ，３ｅの他側端には係止爪は形成されておらず、この他側端における基端部と上端部を結ぶ線は略鉛直となっている。そして、係止爪５ｄ，５ｅは、同じ向きに突出して形成されている。
【００３５】
２つの係止片３ｄ，３ｅは、係止片３ａ，３ｂと略直角に配置されている。そして、４つの係止片３ａ，３ｂ，３ｄ，３ｅは、略正方形の頂点上に配置され、係止片３ａ，３ｂ，３ｄ，３ｅ上に鏡餅が安定して載置されるようになっている。
【００３６】
つぎに、本実施例の鏡餅用三方の組み立て方法について説明する。
【００３７】
第１工程において、相互に略平行に配置された係止片３ａ，３ｂを、係止孔４ａ，４ｂにそれぞれ同時に差し込む。
【００３８】
第２工程において、残りの係止片３ｄ，３ｅを係止爪５ｄ，５ｅから先に係止孔４ｄ，４ｅに差し込む。このとき、係止孔４ｄ，４ｅは、係止片３ｄ，３ｅの厚さよりも幅が広い溝状に形成されているので、係止孔４ｄ，４ｅに係止片３ｄ，３ｅをほとんど抵抗なく差し込むことができる。
【００３９】
以上のように、本実施例の鏡餅用三方は、台部１と、この台部１を下方から支持する脚部２とを備えるとともに、前記脚部２の上端に上方へ突出した複数の係止片３ａ，３ｂ，３ｄ，３ｅが形成され、前記台部１に前記係止片３ａ，３ｂ，３ｄ，３ｅが係止する複数の係止孔４ａ，４ｂ，４ｄ，４ｅが形成された鏡餅用三方であって、前記係止片３ａ，３ｂ，３ｄ，３ｅの上端部の一側端に側方へ突出した係止爪５ａ，５ｂ，５ｄ，５ｅが形成され、前記係止孔又は切り込みの長さを、前記係止片の基端部の長さと略等しい寸法、或いは、前記係止片の基端部の長さよりも長く、前記係止片の上端部の長さよりも短い寸法に形成したものである。係止爪５ａ，５ｂ，５ｄ，５ｅが係止孔４ａ，４ｂ，４ｄ，４ｅに係止することにより、係止片３ａ，３ｂ，３ｄ，３ｅを折り曲げることなく少ない工程数で簡単に組み立てられるとともに、鏡餅を安定して載置でき、鏡餅を移動するときに分解することもない。
【実施例３】
【００４０】
図４に基づき実施例３について説明するが、上記実施例１と同様の部分には同じ符号を付し、その詳細な説明を省略する。
【００４１】
本実施例は、２箇所に係止片３ｆ，３ｇと係止孔４ｆ，４ｇが形成されており、係止片３ｆ，３ｇと係止孔４ｆ，４ｇの形状が実施例１の係止片と係止孔の形状と異なるほかは上記実施例１と同様である。
【００４２】
脚部２の上端の２箇所には、上方に突出した２つの係止片３ｆ，３ｇが形成され、台部１には係止片３ｆ，３ｇがそれぞれ係止する係止孔４ｆ，４ｇが形成されている。係止片３ｆ，３ｇは、脚部２と一体に形成されており、係止片３ｆ，３ｇの上端部には、それぞれ両側端に側方へ突出した係止爪５ｆ，５ｆ’，５ｇ，５ｇ’が一体に形成されている。
【００４３】
なお、係止片３ｆと係止爪５ｆ，５ｆ’、係止片３ｇと係止爪５ｇ，５ｇ’は、それぞれ脚部２の各面と略同一面上に形成されている。
【００４４】
２つの係止片３ｆ，３ｇは、脚部２を形成する４つの面のうち、対向する２つの面の上端の中央部に、相互に略平行に配置されている。そして、係止爪５ｆ，５ｇは、同じ向きに突出して形成され、係止爪５ｆ’，５ｇ’は、係止爪５ｆ，５ｇと反対の向きに突出して形成されている。
【００４５】
また、係止孔４ｆ，４ｇは、係止片３ｆ，３ｇの厚さよりも幅が広い略方形の細長い溝状に形成されており、係止片３ｆ，３ｇの基端部の長さは係止孔４ｆ，４ｇの長さと略等しくなっている。さらに、係止孔４ｆ，４ｇの一側の長辺に沿って、係止孔４ｆ，４ｇの両端にはそれぞれ切り込み８ｆ，８ｆ’と切り込み８ｇ，８ｇ’が形成されており、切り込み８ｆ，８ｆ’を含んだ係止孔４ｆの長さは、係止片３ｆの上端部の長さと略等しく、切り込み８ｇ，８ｇ’を含んだ係止孔４ｇの長さは、係止片３ｇの上端部の長さと略等しくなっている。そして、係止片３ｆ，３ｇを係止孔４ｆ，４ｇの一側の切り込み８ｆ，８ｆ’及び切り込み８ｇ，８ｇ’からそれぞれ係止孔４ｆ，４ｇに差し込むと、紙製の脚部２の弾力によって係止片３ｆ，３ｇがそれぞれ係止孔４ｆ，４ｇの他側へ移動し、係止片３ｆ，３ｇがそれぞれ係止孔４ｆ，４ｇから外れない構造となっている。
【００４６】
本実施例の鏡餅用三方を組み立てる場合は、相互に略平行に配置された係止片３ｇ，３ｆを、係止孔４ｇ，４ｆにそれぞれ同時に差し込むだけでよく、極めて簡単に組み立てることができる。
【００４７】
以上のように、本実施例の鏡餅用三方は、台部１と、この台部１を下方から支持する脚部２とを備えるとともに、前記脚部２の上端に上方へ突出した複数の係止片３ｆ，３ｇが形成され、前記台部１に前記係止片３ｆ，３ｇが係止する複数の係止孔４ｆ，４ｇが形成された鏡餅用三方であって、前記係止片３ｆ，３ｇの上端部の両側端に側方へ突出した係止爪５ｆ，５ｆ’，５ｇ，５ｇ’が形成され、前記係止孔４ｆ，４ｇの長さを、前記係止片３ｆ，３ｇの基端部の長さと略等しい寸法に形成したものである。係止爪５ｆ，５ｆ’，５ｇ，５ｇ’が係止孔４ｆ，４ｇに係止することにより、係止片３ｆ，３ｇを折り曲げることなく少ない工程数で簡単に組み立てられるとともに、鏡餅を安定して載置でき、鏡餅を移動するときに分解することもない。
【実施例４】
【００４８】
図５に基づき実施例４について説明するが、上記実施例１と同様の部分には同じ符号を付し、その詳細な説明を省略する。
【００４９】
本実施例は、１箇所の係止片３ｈと係止孔４ｈの形状が実施例１の係止片４ｃと係止孔４ｃの形状と異なるほかは上記実施例１と同様である。
【００５０】
脚部２の上端の３箇所には、上方に突出した３つの係止片３ａ，３ｂ，３ｈが形成され、台部１には係止片３ａ，３ｂ，３ｈがそれぞれ係止する係止孔４ａ，４ｈ，４ｈが形成されている。係止片３ａ，３ｂ，３ｈは、脚部２と一体に形成されており、係止片３ａ，３ｂの上端部には、それぞれ一側端にのみ側方へ突出した係止爪５ａ，５ｂが一体に形成され、係止片３ｈの上端部には、両端に側方へ突出した２つの係止爪５ｈ，５ｈ’が一体に形成されている。なお、係止片３ａと係止爪５ａ、係止片３ｂと係止爪５ｂ、係止片３ｈと係止爪５ｈ，５ｈ’は、それぞれ脚部２の各面と略同一面上に形成されている。
【００５１】
係止片３ｈの基端部の長さＪは、係止孔４ｈの長さと略等しく形成され、係止片３ｈの上端部の長さＫは係止孔４ｈの長さよりも長く形成されている。すなわち、係止片３ｈの基端部はくびれた形状となっている。また、係止孔４ｈは、係止片３ｈの厚さよりも幅が広い略方形の細長い溝状に形成されており、係止片３ｈを係止孔４ｈに差し込みやすい構造となっている。さらに、係止孔４ｈの一側の長辺に沿って、係止孔４ｈの両端には切り込み８ｈ，８ｈ’が形成されており、切り込み８ｈ，８ｈ’を含んだ係止孔４ｈの長さＬは、係止片３ｈの上端部の長さＫと略等しくなっている。そして、係止片３ｈを係止孔４ｈの一側の切り込み８ｈ，８ｈ’から係止孔４ｈに差し込むと、紙製の脚部２の弾力によって係止片３ｈが係止孔４ｈの他側へ移動し、係止片３ｈが係止孔４ｈから外れない構造となっている。
【００５２】
つぎに、本実施例の鏡餅用三方の組み立て方法について説明する。
【００５３】
第１工程において、相互に略平行に配置された係止片３ａ，３ｂを、係止孔４ａ，４ｂにそれぞれ同時に差し込む。
【００５４】
第２工程において、残りの係止片３ｈを切り込み８ｈ，８ｈ’から係止孔４ｈに差し込む。係止片３ｈを差し込むと、紙製の脚部２の弾力によって、係止片３ｈが係止孔４ｈの切り込み８ｈ，８ｈ’の設けられていない方の他側へ移動する。したがって、係止片３ｈの両側の係止爪５ｈ，５ｈ’が確実に係止孔４ｈに係止して、係止片３ｈが係止孔４ｈから外れることがない。
【００５５】
また、上記第２工程において係止孔４ｈに係止片３ｈを差し込むことによって、先に差し込んだ係止片３ａ，３ｂは、脚部２を形成する面の上端の一端側に向かって付勢され、係止爪５ａ，５ｂは、脚部２を形成する面の上端の一端側に向かって突出して形成されているので、係止爪５ａ，５ｂと係止孔４ａ，４ｂの係止が外れることがない。
【００５６】
以上のように、本実施例の鏡餅用三方は、台部１と、この台部１を下方から支持する脚部２とを備えるとともに、前記脚部２の上端に上方へ突出した複数の係止片３ａ，３ｂ，３ｈが形成され、前記台部１に前記係止片３ａ，３ｂ，３ｈが係止する複数の係止孔４ａ，４ｂ，４ｈが形成された鏡餅用三方であって、前記係止片３ａ，３ｂ，３ｈの上端部の両側端又は一側端に側方へ突出した係止爪５ａ，５ｂ，５ｈ，５ｈ’が形成され、前記係止孔４ａ，４ｂ，４ｈの長さを、前記係止片３ａ，３ｂ，３ｈの基端部の長さと略等しい寸法に形成したものである。係止爪５ａ，５ｂ，５ｈ，５ｈ’が係止孔４ａ，４ｂ，４ｈに係止することにより、係止片３ａ，３ｂ，３ｈを折り曲げることなく少ない工程数で簡単に組み立てられるとともに、鏡餅を安定して載置でき、鏡餅を移動するときに分解することもない。
【００５７】
なお、本発明は上記各実施例に限定されるものではなく、種々の変形実施が可能である。例えば、係止片、係止孔の形状、数、位置などは図示したものに限らず、本発明の思想の範囲内で変形可能である。
【図面の簡単な説明】
【００５８】
【図１】本発明の鏡餅用三方の実施例１を示す斜視図である。
【図２】同上分解斜視図である。
【図３】本発明の鏡餅用三方の実施例２を示す斜視図である。
【図４】本発明の鏡餅用三方の実施例３を示す斜視図である。
【図５】本発明の鏡餅用三方の実施例４を示す斜視図である。
【符号の説明】
【００５９】
１  台部
２  脚部
３ａ，３ｂ，３ｃ，３ｄ，３ｅ，３ｆ，３ｇ，３ｈ  係止片
４ａ，４ｂ，４ｃ，４ｄ，４ｅ，４ｆ，４ｇ，４ｈ  係止孔
５ａ，５ｂ，５ｃ，５ｄ，５ｅ，５ｆ，５ｆ’，５ｇ，５ｇ’，５ｈ，５ｈ’  係止爪
【図１】
2007020600.tif 000003
【図２】
2007020600.tif 000004
【図３】
2007020600.tif 000005
【図４】
2007020600.tif 000006
【図５】
2007020600.tif 000007